(57)【特許請求の範囲】
【請求項１】
互いに隣接するように配設された導通部と非導通部とを有する摺動部における前記導通部と非導通部との表面上を順次、導体からなる摺動片を相対的に摺動させて信号を得られるようにした検出装置であって、
前記非導通部は、その一部又は全体に、前記導通部の表面とほぼ面一になるように形成された第１領域を備えているとともに、前記摺動片が当該非導通部を摺動するに際し前記第１領域の表面上を摺動できるように構成され、
前記摺動部は、絶縁体からなる基部を備え、
前記導通部は、箔状導体から構成されているとともに、前記基部の表面に保持され、
前記第１領域は、前記非導通部の一部に形成されているとともに、前記導通部と同じ箔状導体から構成されて前記基部の表面に保持され、
前記非導通部は、前記基部の表面の一部から構成された第２領域を備え、
前記第２領域は、前記導通部と第１領域とを絶縁し得るように前記第１領域を囲むように所定の幅で正面視でコの字状に配設されているとともに、前記摺動片が当該第２領域の表面に当接できないように構成され、
前記摺動片は、前記導通部と非導通部とを順次に摺動する円弧状の当接部を備え、
前記当接部は、その曲率半径が前記第２領域の幅の２倍以上のものから構成され、
前記基部は、リング状の板体から構成され、
前記導通部は、リング状部と、前記リング状部から径方向外側または径方向内側に放射状に、周方向に等角度間隔で配設された複数の導体パターン片部とを備え、
前記非導通部は、前記基部の表面全体に前記箔状導体によって形成した箔状導体部から前記第２領域に該当する部分を前記コの字状に除去することによって、前記導体パターン片部同士間に形成され、
前記摺動片は、前記導体パターン片部を摺動する際にパルス信号が得られるように構成されていることを特徴とする検出装置。
【請求項２】
請求項１に記載の検出装置を備えていることを特徴とするレンズ鏡筒。
【発明の詳細な説明】
【技術分野】
【０００１】
本発明は、検出装置及びカメラのレンズ鏡筒に関するものである。
【背景技術】
【０００２】
例えば特許文献１に、カメラ等に用いた電子ダイヤルが開示されている。この電子ダイヤルは、回転自在なダイヤル本体と、ダイヤル本体に設けられた接触部を有するコード板と、コード板と接触する複数の端子を有するブラシとを備えたものである。そして、ダイヤル本体の回転に際して端子が接触部と接触することにより信号（パルス信号）を得、その信号に基づいてダイヤル本体の回転量を検出できるようにしたものである。しかし、このような電子ダイヤルをレンズ鏡筒に収納したのでは、レンズ鏡筒を小型化し難くなってしまう。
【０００３】
一方、上記のような電子ダイヤルを用いずに、レンズを移動操作する回転自在なレンズ操作部材の回転量を検出する検出装置を付設したカメラのレンズ鏡筒も知られている。この検出装置３００は、例えば図１４に示すように、銅箔等の箔導体から構成された導通部３０２と非導通部３０３とを有する摺動部３０１と、摺動部３０１を摺動する導体からなる第１摺動片３０４ａ及び第２摺動片３０４ｂを備えたものである。又、導通部３０２は、リング状部３０６ａとそのリング状部３０６ａから外周側に放射状に配設された複数の導体パターン片部３０６ｂとを備えたものであり、この導体パターン片部３０６ｂが、図１５に示すように絶縁体からなる板状の基部３０５の表面に保持されるようにして形成されることによって、導体パターン片部３０６ｂ同士間における基部３０５の表面が非導通部３０３とされたものである。そして、この摺動部３０１を、例えばレンズ鏡筒のマニュアル操作リング７２（図１、図５参照）に取り付けるようにするとともに、マニュアル操作リング７２が回転操作されるに伴って摺動部３０１が共に回転すると、図１４に示すように第１摺動片３０４ａが導体パターン片部３０６ｂと非導通部３０３との表面上を相対的に順次摺動し、第２摺動片３０４ｂがリング状部３０６ａを摺動する。
【０００４】
このようにして、摺動部３０１の回転に際して、第１摺動片３０４ａが導体パターン片部３０６ｂと接触するたびに第１摺動片３０４ａと第２摺動片３０４ｂとがリング状部３０３ａを介して導通してパルス信号を制御部に送信し、そのパルス信号に基づいて制御部が摺動部１０１の回転量を検出してフォーカス制御できるようにしたものである。
【先行技術文献】
【特許文献】
【０００５】
【特許文献１】特開２００８−１８０９０９号公報
【発明の概要】
【発明が解決しようとする課題】
【０００６】
しかしながら、導体パターン片部３０６ｂを基板３０５の表面に銅箔等の箔状導体を配設するようにして形成しているため、図１５に示すように導体パターン片部３０６ｂが基板３０５の表面から所定の高さｈになっており、基板３０５の表面の一部から構成された非導通部３０３と導体パターン片部３０６ｂとにその高さｈ分だけの段差ができた状態になっている。そのため、第１摺動片３０４ａが導体パターン片部３０６ｂから非導通部３０３に移る際に非導通部３０３に落ち込み、その落ち込む際に音なりがするという問題点がある。又、摺動片の形状や導体パターンの厚みによって、信号出力精度がばらつくという問題もある。
【０００７】
本発明は、摺動片が導通部と非導通部とを順次摺動する際の音なりを軽減できる検出装置及びレンズ鏡筒の提供を目的とする。
【課題を解決するための手段】
【０００８】
上記課題を解決するため、本発明の一態様に係る検出装置は、互いに隣接するように配設された導通部と非導通部とを有する摺動部における前記導通部と非導通部との表面上を順次、導体からなる摺動片を相対的に摺動させて信号を得られるようにした検出装置であって、前記非導通部は、その一部又は全体に、前記導通部の表面とほぼ面一になるように形成された第１領域を備えているとともに、前記摺動片が当該非導通部を摺動するに際し前記第１領域の表面上を摺動できるように構成され、前記摺動部は、絶縁体からなる基部を備え、前記導通部は、箔状導体から構成されているとともに、前記基部の表面に保持され、前記第１領域は、前記非導通部の一部に形成されているとともに、前記導通部と同じ箔状導体から構成されて前記基部の表面に保持され、前記非導通部は、前記基部の表面の一部から構成された第２領域を備え、前記第２領域は、前記導通部と第１領域とを絶縁し得るように前記第１領域を囲むように所定の幅で正面視でコの字状に配設されているとともに、前記摺動片が当該第２領域の表面に当接できないように構成され、前記摺動片は、前記導通部と非導通部とを順次に摺動する円弧状の当接部を備え、前記当接部は、その曲率半径が前記第２領域の幅の２倍以上のものから構成され、前記基部は、リング状の板体から構成され、前記導通部は、リング状部と、前記リング状部から径方向外側または径方向内側に放射状に、周方向に等角度間隔で配設された複数の導体パターン片部とを備え、前記非導通部は、前記基部の表面全体に前記箔状導体によって形成した箔状導体部から前記第２領域に該当する部分を前記コの字状に除去することによって、前記導体パターン片部同士間に形成され、前記摺動片は、前記導体パターン片部を摺動する際にパルス信号が得られるように構成されている。
【０００９】
この構成によれば、非導通部は、その一部又は全体に、導通部の表面とほぼ面一になるように形成された第１領域を備えているため、摺動片を非導通部の摺動に際し第１領域の表面上だけを摺動させることができる。これにより、従来ように摺動片が導通部と非導通部との段差分だけ落ち込むようなことを防止でき、摺動片が導通部と非導通部とを摺動する際の音なりを軽減できる。
【００１１】
又、例えば基部の表面全体に箔状導体によって箔状導体部を形成し、その後、その箔状導体部から第２領域に該当する部分を除去することにより、箔状導体からなる導通部と、第２領域で囲んでその導通部と絶縁させた第１領域とを形成できる。従って、摺動部を、容易に低コストで製作できる。
【００１３】
又、当接部はその曲率半径が前記第２領域の幅の２倍以上のものから構成されているため、当接部が第２領域を通過する際に第２領域に落ち込む量を極力少なくできる。従って、摺動片が導通部と非導通部とを摺動する際の音なりを、より一層確実に、軽減できる。又、導通部の厚みに関わらずに摺動片が導通部に当接する状態が安定し、信号出力の精度が向上する。
【００１５】
又、音なりを効果的に軽減でき、高級感を与えることができる。例えば小さい回転角度でパルス信号を発し得るものにする場合には導体パターン片部同士の間隔を幅狭なものに形成する必要があり、そのような幅狭なものにした場合に摺動片が導通部と非導通部とを摺動する際の音なりが大きくなるおそれが高くなるが、そのような場合に上述のように音なりを効果的に軽減でき、高級感を与えることができる。
【００１６】
又、本発明の一態様に係るレンズ鏡筒は、請求項１に記載の検出装置を備えていることを特徴とする。
【００１７】
この構成によれば、摺動片が導通部と非導通部とを摺動する際の音なりを軽減でき、しかも低コストで製作できるレンズ鏡筒を得ることができる。
【発明の効果】
【００１８】
本発明は、摺動片が導体パターン片部から非導通部に移る際の音なりを軽減できる検出装置及びレンズ鏡筒を提供しえたものである。
【図面の簡単な説明】
【００１９】
【図１】本発明の検出装置を備えたレンズ鏡筒の要部の斜視図である。
【図２】図１のレンズ鏡筒からマニュアル操作リングを取り外した状態の斜視図である。
【図３】レンズ鏡筒の要部の分解斜視図である。
【図４】図１のレンズ鏡筒の横断面図である。
【図５】図１のレンズ鏡筒の図４と異なる位置での要部の拡大横断面図である。
【図６】レンズ鏡筒の要部の展開図である。
【図７】第１検出装置の要部の正面図である。
【図８】図７のＶＩＩＩ−ＶＩＩＩ線断面図である。
【図９】第１検出装置の回路図である。
【図１０】他の実施形態の第１検出装置の要部の正面図である。
【図１１】第２検出装置の平面図である。
【図１２】図１１のＸＩＩ−ＸＩＩ線断面図である。
【図１３】第２検出装置の回路図である。
【図１４】検出装置の従来例の平面図である。
【図１５】図１４のＸＩＶ−ＸＩＶ線断面図である。
【発明を実施するための形態】
【００２０】
以下、本発明を実施するための最良の形態について、図面を参照しながら詳細に説明する。図１は、本発明の一実施形態のレンズ鏡筒の要部の斜視図、図２は、図１のレンズ鏡筒からマニュアル操作リングを取り外した状態の斜視図、図３は、レンズ鏡筒の要部の分解斜視図、図４は、図１のレンズ鏡筒の横断面図である。又、図５は、図１のレンズ鏡筒の図４と異なる位置での要部の拡大横断面図、図６は、レンズ鏡筒の要部の展開図である。
【００２１】
この実施形態のレンズ鏡筒１は、鏡筒本体１０と、鏡筒本体１０に付設された検出装置５ａ、５ｂ（図５、図６に示す）とを備えている。鏡筒本体１０は、円筒状の固定筒２と、オートフォーカス動作部と、マニュアルフォーカス動作部と、固定筒２に保持されたレンズ３１、３２と、出力リング４と、レンズ３１を駆動操作するレンズ駆動操作部材８、９とを備えている。
【００２２】
固定筒２の外周側には、円筒状の後カバー２１（図４に図示、図１〜図３では省略している）が配設されており、固定筒２は、その外周側が後カバー２１によって覆われている。
【００２３】
オートフォーカス動作部は、モータ６１と、制御部６２と、オート用入力リング６３とを備えている。モータ６１は、この実施形態では、図４に示すようにステータ６１ａと、ステータ６１ａに摩擦駆動されるローター６１ｂと、ローター６１ｂの駆動に伴い回転する出力軸６１ｃとを有する棒状超音波モータから構成されている。又、出力軸６１ｃは、その先端に、第１ギア６１ｄを備えている。
【００２４】
このように構成されたモータ６１は、出力軸６１ｃを固定筒２の軸方向に沿わされるようにして、固定筒２の外周側に設けられたモータ設置部６１ｅに設置されて固定筒２に取り付けられている。
【００２５】
制御部６２は、例えば検出装置５ａ、５ｂによって得られた信号に基づいて後述のマニュアル操作リング７２の回転に関する情報を得てフオーカス制御し、又、モータ６１と通電可能に接続されてモータ６１の制御等を行なう。
【００２６】
この制御部６２は、固定筒２の外周側におけるモータ設置部６１ｅの周方向側に設けられた制御設置部６２ａに、モータ６１の近傍に互いに周方向に隣接するようにして配設されて固定筒２に取付けられている。尚、図１、図２及び図５では、制御部６２の基板のみ表し、基板に配設された電子部品を省略している。
【００２７】
このようにして、モータ６１と制御部６２とを互いに近接させて互いに筒部２の周方向に隣接するように配設することにより、両者の電気接続を容易に行い得るようにしている。
【００２８】
オート用入力リング６３は、円筒状のものから構成されている。この実施形態では、オート用入力リング６３は、筒本体６３ａと、ギアリング６３ｂとから構成されている。筒本体６３ａには、フランジ６３ｃが設けられている。このフランジ６３ｃは、その前面側に、後述の転動ローラー４２ｂが転動する第１ローラー転動部６３ｄを備えている。
【００２９】
ギアリング６３ｂは、外周の全周に渡って、上記出力軸６１ｃの第１ギア６１ｄと噛合する第２ギア６３ｅを備えている。そして、このギアリング６３ｂは、その内周に、筒本体６３ａの外周が嵌め入れられるようにして筒本体６３ａの後部側に装着されている。
【００３０】
このように構成されたオート用入力リング６３は、固定筒２の外周に、固定筒２に設けられたオート用入力リング受け部材６４によって受けられるようにして、固定筒２の軸まわりに回転自在に配設されている。
【００３１】
詳しくは、図４、図５に示すように、固定筒２の外周には、３つのオート用入力リング受け部材６４が設けられている。この実施形態におけるオート用入力リング受け部材６４は、夫々、ボールベアリングから構成され、固定筒２の周方向に等間隔に配設されている。
【００３２】
そして、オート用入力リング６３の筒本体６３ａの端面がオート用入力リング受け部材６４に当接するようにして受けられている。これにより、オート用入力リング６３は、オート用入力リング受け部材６４によって、固定筒２に対する軸方向（光軸Ｚ方向）の位置決めがされるとともに、その位置で固定筒２に対して円滑に回転可能とされている。尚、オート用入力リング受け部材６４は、ボールベアリングから構成される形態のものに限らず、ピン等から構成することもでき、適宜変更できる。
【００３３】
又、この状態で、オート用入力リング６３の第２ギア６３ｅと第１ギア６１ｄとが噛合し、第１ギア６１ｄの回転に伴って、オート用入力リング６３が固定筒２の外周を回転するようになっている。なお、第１ギアと第２ギアの間に噛合する減速ギアを設け、減速比を任意に設定しても良い。
【００３４】
尚、この実施形態では、オート用入力リング６３を、筒本体６３ａと、筒本体６３ａと別体のギアリング６３ｂとから構成したが、両者を一体的に形成したものであっても良く、適宜変更できる。
【００３５】
ただし、上記のようにオート用入力リング６３を、筒本体６３ａとギアリング６３ｂとから構成すれば、後述の転動ローラー４２ｂとの当接を含む軸方向の係合を筒本体６３ａで担い、ギア連結のみをギアリング６３ｂで行なうため、２部品の組込み精度が不要で、更には、筒本体６３ａを金属部材、ギアリング６３ｂを成形部材で形成すれば、小型、安価でかつ高精度が得られる点で有利である。
【００３６】
マニュアルフォーカス動作部は、マニュアル用入力リング７１と、マニュアル用入力リング７１を操作するマニュアル駆動操作部材としてのマニュアル操作リング７２とを備えている。
【００３７】
マニュアル用入力リング７１は、リング板状のものから構成されており、後面に、後述の転動ローラー４２ｂが転動する第２ローラー転動部７１ａを備えている。そして、このマニュアル用入力リング７１は、固定筒２の軸方向におけるオート用入力リング６３の前方側に、固定筒２の軸まわりに回転自在に配設されている。
【００３８】
マニュアル操作リング７２は、円筒状のものから構成され、鏡筒本体１０に設けられた筒状の前カバー２５と上記後カバー２１との間に配設され、それらに回転自在に保持されている。
【００３９】
又、このマニュアル操作リング７２の内周側には、一体的に形成されたリング板状のフランジ７２ｂが設けられている。このフランジ７２ｂの後面に、リング操作部７２ａを備えており、このリング操作部７２ａによって、マニュアル用入力リング７１が前方側から、後述の付勢部材１１を介して操作される。
【００４０】
次に、レンズ３について説明する。この実施形態のレンズ３は、固定筒２に対して可動する可動レンズ３１と、固定筒２に対して可動しない固定レンズ３２とを備えている。
【００４１】
可動レンズ３１は、１枚のレンズ又は複数のレンズ群から構成される。この可動レンズ３１は、レンズ保持部材３１ａによって保持されている。又、レンズ保持部材３１ａは、円柱状の突片３１ｂを備えている。
【００４２】
そして、レンズ保持部材３１ａは、この突片３１ｂが固定筒２の軸方向に沿って設けられたレンズ摺動溝２２（長溝）内に摺動可能に嵌め入れられるようにして、固定筒２の内周に保持されている。これにより、可動レンズ３１は、固定筒２の軸方向に移動可能とされている。また、この状態で、光軸Ｚと固定筒２の軸が一致しており、上記オート用入力リング６３及びマニュアル用入力リング７１は、光軸Ｚを中心にして光軸Ｚまわりに回転する。
【００４３】
固定レンズ３２は、この実施形態では、可動レンズ３１の前後両側夫々に配設されるようにして、固定筒２の内周に保持されている。
【００４４】
なお、可動レンズを、互いに異なる動作をする複数のものから構成してもよい。又、固定レンズ３２を設けない形態のものでもよく、適宜変更しうる。又、突片３１ｂとレンズ摺動溝２２との数は、特に限定されず、１セットから構成してもよいが、複数セット設けることが好ましい。より好ましくは、各３セットである。
【００４５】
次に、出力リング４について説明する。出力リング４は、円筒状のものから構成されている。又、出力リング４には、出力リング４に保持された少なくとも３つ（この実施形態では、３つ）の連動部材４２が付設されている。
【００４６】
連動部材４２は、出力リング４と上記オート用入力リング６３とを連動させるとともに、出力リング４と上記マニュアル用入力リング７１とを連動させるもので、連動部材４２の夫々は、ローラー軸４２ａと、転動ローラー４２ｂとを備えている。各転動ローラー４２ｂは、ローラー軸４２ａに回転自在に支持されている。
【００４７】
又、転動ローラー４２ｂを支持したローラー軸４２ａは、転動ローラー４２ｂを出力リング４の外周側に、その軸方向を固定筒２の軸と直交（光軸Ｚと直交）する方向に配設するようにして出力リング４に取り付けられている。又、この状態で、転動ローラー４２ｂは、出力リング４の軸方向の前後両端面の夫々から軸方向に突出している。又、このようにして出力リング４に取り付けられた３つの連動部材４２は、出力リング４の周方向に等間隔になるように配設されている。
【００４８】
このように構成された出力リング４は、固定筒２の軸方向におけるオート用入力リング６３とマニュアル用入力リング７１との間に、固定筒２に対して出力リング４が固定筒２の軸まわり（光軸Ｚまわり）に回転自在になるように、固定筒２の外周側に配設されている。
【００４９】
又、この状態で、転動ローラー４２ｂは、オート用入力リング６３の第１ローラー転動部６３ｄとマニュアル用入力リング７１の第２ローラー転動部７１ａとの間に配設され、付勢部材１１によって両者に加圧状態で挟持されている。
【００５０】
詳しくは、マニュアル操作リング７２の操作部７２ａとマニュアル用入力リング７１との間に、波板リング状のスプリングからなる付勢部材１１が設けられており、この付勢部材１１によって、マニュアル用入力リング７１は、後方側のオート用入力リング６３のフランジ６３ｃ側に付勢されている。
【００５１】
そして、この付勢力により、マニュアル用入力リング７１の第２ローラー転動部７１ａが転動ローラー４２ｂを押圧し、この押圧によって転動ローラー４２ｂがオート用入力リング６３の第１ローラー転動部６３ｄを押圧している。これにより、転動ローラー４２ｂは、第１ローラー転動部６３ｄと第２ローラー転動部７１ａとに、一定の付勢力がかかった状態で挟持されている。尚、転動ローラー４２ｂに押圧されたオート用入力リング６３は、オート用入力リング受け部材６４に受けられた状態に維持される。
【００５２】
次に、レンズ駆動操作部材８，９について説明する。レンズ駆動操作部材８，９は、可動レンズに連結された筒状のレンズ操作環８と、レンズ操作環８と出力リング４との夫々に連結された２つの連結部材としての連結レバー９とを備えている。
【００５３】
レンズ操作環８には、３つの周溝８１と、３つのカム溝８２との２種類の溝が設けられている。周溝８１は、レンズ操作環８を、固定筒２の軸まわり（光軸Ｚまわり）に回転可能且つ軸方向移動不能にするためのもので、レンズ操作環８の後部側における周方向の３箇所に配設されており、各周溝８１は、周方向に沿って所定長さで形成された長穴状のものから構成されている。
【００５４】
カム溝８２は、レンズ操作環８の回転に際して可動レンズ３１を固定筒２の軸方向に駆動させるためのもので、周溝８１夫々の近傍の３箇所に配設されており、各カム溝８２は、軸方向及び周方向に対して所定の角度をなして、周方向に隣接する２つの周溝８１、８１の間から、その内の一方の周溝８１の前方側に所定の長さで延ばされた長穴状のものから構成されている。
【００５５】
そして、レンズ操作環８は、固定筒２の後部側の外周側に回転自在に嵌め入れられるとともに、周溝８１夫々に、固定筒２に設けられた摺動片２３が相対移動可能に嵌め入れられ、更に、カム溝８２夫々に、上記レンズ摺動溝２２に入り込んだ突片３１ｂの先端が移動可能に嵌め入れられている。
【００５６】
連結レバー９は、夫々、長尺状の第１片９１と、長尺状の第２片９２とから構成されている。第２片９２は、第１片９１の後端（第１端）に、その長手方向が第１片９１の長手方向と直交するように一体的に連結されており、第１片９１と第２片９２とでＴ字状の金属製の薄板状体から構成されている。
【００５７】
第１片９１の前端（第２端）には、係合部としての係合溝９１ａが設けられている。この係合溝９１ａは、第１片９１の前端面から所定の幅及び長さで形成されている。そして、この係合溝９１ａに、出力リング４に設けられた円柱状の係合片４３が嵌め入れられることにより、第１片９１の前端が出力リング４に回動自在に係合されるようになっている。
【００５８】
このようにして連結されたレンズ駆動操作部材と出力リングとを回転方向のみガタなく連結でき、軸方向に拘束力が発生しないものにできる。
【００５９】
第２片９２の長手方向の両端（第１端と第２端）には、夫々、レンズ操作環８に固定するための固定部が設けられている。この実施形態では、固定部は、ボルト９３を通すボルト挿通孔９２ａから構成されている。
【００６０】
このように構成された連結レバー９は、レンズ操作環８及び出力リング４の外周側に、互いに周方向に１８０°のピッチで等間隔に配設されている。また、第２片９２における出力リング側とは反対側の後端面９２ｂがレンズ駆動環８に設けられた連結部材用の位置決め部８４に当接して位置決めされている。これにより、光軸Ｚ方向の位置決めとともに傾きを規制でき、精度よく取り付けることができ、回転方向ガタおよび駆動ロスが抑えられる。
【００６１】
又、この状態で、各連結レバー９の第１片９１の長手方向がレンズ操作環８及び出力リング４の軸方向に沿って延ばされているとともに、係合溝９１ａに出力リング４の係合片４３が嵌め入れられて出力リング４と連結レバー９とが係合されている。
【００６２】
又、各連結レバー９の第２片９２のボルト挿通孔９２ａにボルト９３が通され、そのボルト９３がレンズ操作環８に設けられたネジ孔（図示せず）に螺合され、これにより、レンズ操作環８と連結レバー９とが固定されている。
【００６３】
又、一方の連結レバー９の第２片９２は、カム溝８２の一部を跨ぐように配設されている。これにより、連結レバー９の第２片９２を、カム溝８２が邪魔になることなくレンズ操作環８に固定でき、レンズ操作環８の軸方向の長さを短くでき、レンズ鏡筒全体を小型化できる。
【００６４】
そして、このようにしてレンズ操作環８と出力リング４とに連結された連結レバー９は、例えばレンズ操作環８及び出力リング４の図１の反時計方向の回転に伴い、一方の連結レバー９（図１で下側に表れたもの）がモータ６２の近傍位置から、固定筒２の外周側を反時計方向に移動して、他方の連結レバー９（図１で上側に表れたもの）が制御部６３の近傍位置にくるまでの範囲を可動する。そして、モータ６２及び制御部６３は、固定筒２の外周側における連結レバー９の可動しない非可動領域に設置され、連結レバー９の動きの邪魔にならないように配設されている。
【００６５】
次に検出装置５ａ、５ｂについて説明する。この実施形態の検出装置５ａ、５ｂは、図５に示す第１検出装置５ａと、図６に示す第２検出装置５ｂとを備えている。第１検出装置５ａは、上記マニュアル操作リング７２の回転量を検出するように構成されたもので、図７、図８に示すように第１検出装置用摺動部５１と、第１検出装置用摺動片５２とを備えている。
【００６６】
第１検出装置用摺動部５１は、リング板状の基部５０と、基部５０の表面に形成された導通部５３及び非導通部５４とを備えている。基部５０は、絶縁体から構成されている。この実施形態では、ガラスエポキシ樹脂から構成されている。基部５０は、その外径が上記マニュアル操作リング７２の内径と同程度の大きさのものから構成されている。
【００６７】
導通部５３は、グランドをなすリング状部５３ａと、リング状部５３ａの径方向外側に、リング状部５３ａから延設されるようにして周方向に等角度間隔で放射状に形成された複数の導体パターン片部５３ｂとから構成されている。
【００６８】
非導通部５４は、導体パターン片部５３ｂ同士間に形成されており、第１領域５５と、第１領域５５の周部にその第１領域５５を囲むように配設された第２領域５６とを備えている。
【００６９】
第２領域５６は、後述の第１摺動片５２ａの当接部５８が入り込むことができいような幅Ｌに形成されており、これにより、上記当接部５８がこの第２領域５６の表面に当接できないように（摺動できないように）されている。
【００７０】
これらの導通部５３と非導通部５４とは、この実施形態では、次のようにして形成されている。まず、基部５０の表面の全体に、導体としての銅箔を形成し、その銅箔の表面上に順次ニッケルメッキ、金メッキを形成するようにして、基部５０の表面の全体に３層からなる箔状導体部を形成する。
【００７１】
その後、箔状導体部の径方向の外側部における第２領域５６に該当する部分を、図７に示すように所定幅Ｌで正面視でコの字状にエッチングによって、図８に示すように断面コの字状の溝状に除去し、基部５０の表面の一部を、図７に示すように正面視でコの字状に露出させることにより、第２領域５６を形成する。
【００７２】
これにより、第２領域５６で囲んだ箔状導体部の一部を、箔状導体部の他の部分と絶縁でき、上記一部を非導通部５４の第１領域５５としてのものにできる。又、導通部５３を、非導通部５４の径方向内側のリング状部５３ａと、リング状部５３ａの径方向外側に配設された複数の導体パターン片部５３ｂとを有するものに形成できる。従って、第１領域５５を、導通部５３と別途に形成せずに済み、容易に低コストで製作できる。
【００７３】
そして、このように構成された摺動部５１は、図５に示すようにマニュアル操作リング７２のフランジ７２ｂの前面に貼り付けられている。
【００７４】
摺動片５２は、この実施形態では、図７に示すように導通部５３の導体パターン片部５３ｂと非導通部５４との夫々の表面上を順次に摺動する第１摺動片５２ａと、導通部５３のリング状部５３ａを摺動する第２摺動片５２ｂとの２つを備えている。
【００７５】
第１摺動片５２ａは、導体からなる摺動片本体５７と、摺動片本体５７の先端部に設けられた当接部５８とを備えている。摺動片本体５７は、弾性を有する長尺薄板状のものから構成されており、先端側に２股状に枝別れするように形成された２つの枝片５７ａを備えている。
【００７６】
当接部５８は、枝片５７ａの夫々に設けられている。この実施形態では、枝片５７ａの先端側の一部を厚さ方向に折り曲げ成形することによって図８に示すように上記第２領域５６の幅方向に沿う断面形状が円弧状に形成されている。又、この実施形態の当接部５８は、その曲率半径Ｒが第２領域５６の幅Ｌの２倍以上のものから構成されており、これにより、当接部５８が第２領域５６にほとんど入り込むことがないようにして摺動する際の音なりを確実に軽減できるようにしているとともに、導体パターン片部５３ｂと非導通部５４とを円滑に摺動できるようにしている。
【００７７】
また、当接部５８が第２領域５６にほとんど入り込むことがないので、導体パターン片部５３ｂと当接部５８との当接する状態が安定し、信号出力精度が良好に保たれる。
【００７８】
尚、上記のように基端部で電気的に接続した２つの枝片５７ａ夫々に当接部５８を設けたものとしているのは、例えば一方の当接部５８が埃等で導通部５３の導体パターン片部５３ｂと当接できない場合に他方の当接によって電気的に接続できるようにしたもので、例えば１つの枝片から構成してもよく、適宜変更できる。
【００７９】
このように構成された第１摺動片５２ａは、図５に示すように摺動片本体５７の基端側が摺動片取付部材５９ａを介して鏡筒本体１０の前カバー２５に、摺動部５１の導通部５３の導体パターン片部５３ｂ又は非導通部５４の前方側に配置されるようにして固定されている。
【００８０】
又、この状態で、当接部５８は、夫々、摺動部５１の導通部５３の導体パターン片部５３ｂ又は非導通部５４に摺動片本体５７の弾性によって押し付けられた状態になっている。尚、図８中に、摺動部５１が無く摺動部５１に当たっていないとした場合の当接部５８の位置を二点鎖線で示す。
【００８１】
又、固定された第１摺動片５２ａは、図５に示すようにその基端部が電気線５９ｂを介して鏡筒本体１０の制御部６２に通電可能に接続されている。
【００８２】
第２摺動片５２ｂは、上述の第１摺動片５２ａと略同構成を採っている。そして、上記摺動片取付部材５９ａを介して鏡筒本体１０の前カバー２５に、第１摺動片５２ａの径方向内側に配設されて摺動部５１の導通部５３におけるリング状部５３ａの前方側に位置するようにして固定されている。又、この状態で、第２摺動片５２ｂの当接部５８は、摺動片本体５７の弾性によってリング状部５３ａに押し付けられた状態になっている。
【００８３】
又、固定された第２摺動片５２ｂは、その基端部が電気線５９ｂを介して鏡筒本体１０の制御部６２に通電可能に接続されており、第１摺動片５２ａが非導通部５４を移動している間は、図９に示すように第１摺動片５２ａと第２摺動片５２ｂとは導通しないが、第１摺動片５２ａが導体パターン片部５３ｂに当接すると第１摺動片５２ａと第２摺動片５２ｂとがリング状部５３ａを介して導通するようになっている。
【００８４】
尚、第１検出装置５ａは、第１摺動片５２ａと第２摺動片５２ｂとの２つの摺動片を有するものから構成される形態のものに限らず、適宜変更できる。例えば図１０に示すように摺動片として第１摺動片２５２ａのみで構成し、導通部５３のリング状部２５３ａを電気線２５９ｂによって制御部６２に接続するようにしてもよい。
【００８５】
次に、第２検出装置５ｂに付いて説明する。第２検出装置５ｂは、図６に示すように固定筒２に取付けられた第２検出装置用摺動部１５１と、レンズ操作環８に設けられた第２検出装置用摺動片１５２とを備えている。
【００８６】
第２検出装置用摺動部１５１は、図１１に示すように長尺状のものから構成され、長尺板状の基部１５０と、基部１５０の表面に、幅方向に互いに距離をもって長手方向に延ばされるように形成された第１導通部１５１ａ〜第５導通部１５１ｅの５つの導通部と、非導通部１５４とを備えている。
【００８７】
第１導通部１５１ａは、グランドをなすもので、長手方向に一定の幅で形成されている。第２導通部１５１ｂ〜第５導通部１５１ｅは、夫々、長手方向に沿って配設された細幅部１５２と細幅部１５２よりも幅の広い広幅部１５３とを備えている。
【００８８】
非導通部１５４は、第２導通部１５１ｂ〜第５導通部１５１ｅの夫々の広幅部１５３同士間における細幅部１５２の幅方向の側方に配設されている。又、非導通部１５４は、図１２に示すように第１領域１５５と、その第１領域１５５を囲むように配設された第２領域１５６とを備えている。又、この第２検出装置用摺動部１５１の第２領域１５６は、隣接する２つの導通部１５１ａ〜１５１ｅを互いに離して絶縁している。
【００８９】
これらの導通部１５１ａ〜１５１ｅ、第１領域１５５及び第２領域１５６は、上記第１検出装置用摺動部５１の場合と同じように製作されている。より詳しくは、基部１５０の表面全体に箔状導体部を形成し、その後、第２領域１５６に対応する部分を、所定幅の溝状に箔状導体を除去することにより第１導通部１５１ａ〜第５導通部１５１ｅ、第１領域１５５及び第２領域１５６を形成している。尚、第２領域１５６の幅等は、上記第１検出装置用摺動部５１のものと同構成を採っている。
【００９０】
このように構成された第２検出装置用摺動部１５１は、図６に示すように固定筒２の外周面に、長手方向を固定筒２の周方向に延ばされて第１導通部１５１ａ〜第５導通部１５１ｂが順次前方から後方に並べられるようにして貼り付けられるとともに、第１導通部１５１ａ〜第５導通部１５１ｅが電気線１６０によって制御部６２と接続される。
【００９１】
第２検出装置用摺動片１５２は、図１１に示すように前後方向に並べられるように配設された第１摺動片１５２ａ〜第４摺動部１５２ｄの４つを備えている。第１摺動片１５２ａは、第１導通部１５１ａを長手方向に沿って摺動するように構成されたもので、第２摺動片１５２ｂは、第２導通部１５１ｂを長手方向に沿って摺動するように構成されたものである。
【００９２】
又、第３摺動片１５２ｃは、第３導通部１５１ｃを長手方向に沿って摺動するように構成されたもので、第４摺動片１５２ｄは、第４導通部１５１ｄ及び第５導通部１５１ｅを長手方向に沿って摺動するように構成されたものである。
【００９３】
これらの第１摺動片１５２ａ〜第４摺動片１５２ｄは、夫々、上記第１検出装置用摺動片５２の第１摺動片５２ａや第２摺動片５２ｂと同構成を採っている。そして、第２検出装置用摺動片１５２は、図６に示すようにレンズ操作環８に固定的に取り付けられ、レンズ操作環８の回転に伴って共に固定筒２の外周を周方向に可動する。
【００９４】
又、レンズ操作環８に取り付けられた状態で、第２摺動片１５２ｂ〜第４摺動片１５２ｄの夫々は、レンズ操作環８の回転に伴って、第２導通部１５１ｂ〜第５導通部１５１ｅ夫々の広幅部１５３上を摺動するとともに、細幅部１５２を摺動せずにその側方側の非導通部１５４を摺動するようになっている。
【００９５】
そして、第１摺動片１５２ａ〜第４摺動片１５２ｄが第２検出装置用摺動部１５１を摺動すると、第１摺動片１５２ａ〜第４摺動片１５２ｄ夫々が今、第１導通部１５１ａ〜第５導通部１５１ｅ夫々の広幅部１５３と非導通部１５４との何れの位置にいるかの信号を制御部６２に送信する。
【００９６】
例えば図１１に示すように第１摺動片１５２ａが第１導通部１５１ａ上に、第４摺動片１５２ｄが第４導通部１５１ｄ上に、夫々位置している場合、図１３に示すように、第１導通部１５１ａと第４導通部１５１ｄとが導通した状態になり、第１摺動片１５２ａと第４摺動片１５２ｄとが導通部上に、第２摺動片１５２ｂと第３摺動片１５２ｃとが非通部上に位置していることを示す信号を制御部６２に送信する。
【００９７】
尚、受信した制御部６２は、その信号と、予め摺動片１５２ａ〜１５２ｄの第２検出装置用摺動部１５１に対する摺動片１５２ａ〜１５２ｄの位置と固定筒２に対するレンズ操作環８の位置とを関連付けて記憶した情報とに基づいて、固定筒２に対するレンズ操作環８の位置を検出し、上記第１検出装置５ｂで得たマニュアル用入力リング７１の回転量とに基づいてマニュアル用入力リング７１の回転に関する情報を生成してフォーカス制御する。
【００９８】
次に、以上のように構成されたレンズ鏡筒１０の動作について説明する。例えばマニュアル操作リング７２を手で回転操作すると、マニュアル用入力リング７１が回転する。
【００９９】
このマニュアル操作リング７２の回転に際し、第１摺動片５２ａが導通部５３の導体パターン片部５３ｂと非導通部５４との夫々の表面上を順次に相対的に摺動するとともに、第２摺動片５２ｂが導通部５３のリング状部５３ａを摺動する。
【０１００】
その第１摺動片５２ａの相対摺動に際しては、非導通部５４の第１領域５５が導体パターン片部５３ｂの表面とほぼ面一になるように形成されているため、図１４に示す従来例のように摺動片が導通部と非導通部との段差分だけ落ち込むようなことを防止でき、第１摺動片５２ａが導体パターン片部５３ｂと非導通部５４とを摺動する際の音なりを軽減できる。
【０１０１】
そして、第１摺動片５２ａの相対摺動に際して第１摺動片５２ａが導体パターン片部５３ｂ夫々に当接するたびにパルス信号が得られる。制御部６２は、その得られたパルス信号の数と，予めパルス信号の数と関連付けて記憶したマニュアル用入力リング７１の回転量とに基づいてマニュアル用入力リング７１の回転量を検出する。
【０１０２】
そして、マニュアル操作リング７２が回転すると、転動ローラー４２ｂが第２ローラー転動部７１ａを転動する。その際、転動ローラー４２ｂを第２ローラー転動部７１ａと挟持したオート用入力リング６３は、モータ６１と噛合して回転できないため、転動ローラー４２ｂは自転しながら、固定筒２のまわりを公転し、出力リング４全体が回転する。
【０１０３】
この出力リング４の回転によって、２つの連結レバー９が筒体の軸まわりに回動し、レンズ操作環８を回転させる。
【０１０４】
又、レンズ操作環８の回転に伴って第１摺動片１５２ａ〜第４摺動片１５２ｄが第２検出装置用摺動部１５１を摺動する。この摺動に際しても、非導通部１５４の第１領域１５５が導通部１５１ｂ〜１５１ｅの表面とほぼ面一になるように形成されているため、第２摺動片１５２ｂ〜第４摺動片１５２ｄが第１領域１５５によって非導通部１５４に落ち込むようなことがなく、摺動する際の音なりを極力軽減できる。
【０１０５】
また、第２摺動片１５２ｂ〜第４摺動片１５２ｄが非導通部１５４にほとんど落ち込むことがないので、各摺動片の当接形状や第２検出装置用摺動部１５１の厚みに依存することなく当接する状態が安定し、信号出力精度が良好に保たれる。
【０１０６】
第１摺動片１５２ａ〜第４摺動片１５２ｄが第２検出装置用摺動部１５１を摺動すると、第１摺動片１５２ａ〜第４摺動片１５２ｄ夫々が今、第１導通部１５１ａ〜第５導通部１５１ｅ夫々の広幅部１５３と非導通部１５４との何れの位置にいるかの信号を制御部６２に送信する。
【０１０７】
レンズ操作環８の回転によって、固定筒２のレンズ摺動溝２２及びレンズ操作環８のカム溝８２夫々に入り込んだ突片３１ｂがそれらの溝２２，８２を移動し、これにより、可動レンズ３１が固定筒２の軸方向に移動する。
【０１０８】
又、レンズ操作環８の回転によって、固定筒２のレンズ摺動溝２２及びレンズ操作環８のカム溝８２夫々に入り込んだ突片３１ｂがそれらの溝２２，８２を移動し、これにより、可動レンズ３１が固定筒２の軸方向に移動する。
【０１０９】
一方、オートフォーカス動作部により可動レンズ３１を可動させる場合は、図示しないオートフォーカススイッチを入り操作する。これにより、制御部６２の制御に従って、モータ６１へ電圧が印加され、それに伴いローター６１ｂが回転し出力軸６１ｃが回転する。
【０１１０】
又、この出力軸６１ｃの回転に伴って、その出力軸６１ｃの第１ギア６１ｄと噛合したオート用入力リング６３が回転する。また、この回転に伴い、第１ローラー転動部６３ｄを転動ローラー４２ｂが転動する。その際、転動ローラー４２ｂが第１ローラー転動部６３ｄとマニュアル用入力リング７１の第２ローラー転動部７１ａとに挟持されているとともに、マニュアル用入力リング７１が付勢部材１１の付勢力等によって回転が規制されているため、転動ローラー４２ｂは自転しながら、固定筒２のまわりを公転し、これにより、転動ローラー４２ｂを保持した出力リング４が回転する。
【０１１１】
以下、上述したと同様に、連結レバー９が回転してレンズ操作環８を回転させて可動レンズ３１を固定筒２の軸方向に駆動できる。
【０１１２】
尚、上記実施形態では、非導通部の第１領域を、導通部と同じ箔状導体から構成したが、この形態のものに限らず、例えば第１領域を導通部とは異なる素材から構成してもよく、適宜変更できる。
【０１１３】
又、第１領域を絶縁体から構成する場合は、非導通部の全体を第１領域から構成するとともに、その第１領域を、導通部の表面と略面一になるように形成してもよい。
【０１１４】
又、上記実施形態では、レンズ鏡筒１を、第１検出装置５ａと第２検出装置５ｂの２つに第１領域と第２領域とを有するものとしたが、例えば第１検出装置５ａと第２検出装置５ｂとの何れか一方を第１領域と第２領域とを有するものとし、他方を第１領域を有しないものとしてもよく、適宜変更しうる。
【０１１５】
又、上記実施形態では、本発明の検出装置をカメラのレンズ鏡筒に用いたが、レンズ鏡筒に用いる形態のものに限らず、本発明の検出装置を、例えば望遠鏡、双眼鏡等の光学機器に用いることもでき、適宜変更できる。
【符号の説明】
【０１１６】
１    レンズ鏡筒
２    筒体
４    出力リング
５ａ    第１検出装置
５ｂ    第２検出装置
８    レンズ操作環
９    連結レバー
１０    鏡筒本体
３１    可動レンズ
５２ａ    第１摺動片
５２ｂ    第２摺動片
５３、１５１ａ〜１５１ｅ    導通部
５３ｂ    導体パターン片部
５４、１５４    非導通部
５５、１５５    第１領域
５６、１５６    第２領域
６３    オート用入力リング
７１    マニュアル用入力リング
【図１】
0005601096.tif 000002
【図２】
0005601096.tif 000003
【図３】
0005601096.tif 000004
【図４】
0005601096.tif 000005
【図５】
0005601096.tif 000006
【図６】
0005601096.tif 000007
【図７】
0005601096.tif 000008
【図８】
0005601096.tif 000009
【図９】
0005601096.tif 000010
【図１０】
0005601096.tif 000011
【図１１】
0005601096.tif 000012
【図１２】
0005601096.tif 000013
【図１３】
0005601096.tif 000014
【図１４】
0005601096.tif 000015
【図１５】
0005601096.tif 000016